(57)【特許請求の範囲】
【請求項１】
上側に開口部を形成し、その下側に底面外周面より少ない面積にて突設した窓口付多孔支持底板を形成した枠状基体と、該枠状基体内に配置する蓋付多孔皿と、該窓口付多孔支持底板の外周面に着脱自在に嵌合する支持体付皿状多孔底板からなる病理組織試料用カセットに於いて、
前記窓口付多孔支持底板の外周面を病理組織試料の包埋皿の内周面と水密に嵌合する形状にし、且つ包埋皿の外周面と該病理組織試料用カセットの枠状基体の外周面とが殆ど一致することを特徴とする生検小型病理組織試料の包埋ブロックを形成する病理組織試料用カセットとその包埋皿。
【請求項２】
上側に開口部を形成し、その下側に底面外周面より少ない面積にて突設した多孔支持底板を形成した枠状基体と、該多孔支持底板の外周面に着脱自在に嵌合する皿状多孔底板からなる病理組織試料用カセットに於いて、
前記多孔支持底板の外周面を病理組織試料の包埋皿の内周面と水密に嵌合する形状にし、且つ包埋皿の外周面と該病理組織試料用カセットの枠状基体の外周面とが殆ど一致することを特徴とする病理組織試料の包埋ブロックを形成する病理組織試料用カセット。
【請求項３】
枠状基体の開口部の蓋の一側に試料データ面保護格子板を下向きに傾斜して形成し、ブロック試料データラベルやバーコードラベルを該枠状基体の一側に下向きに傾斜して形成した該枠状基体の試料データ記載箇所との間に挟持貼り付け前記ラベルやそのブロック試料データやバーコード記載印字面を保護することを特徴とする請求項２記載の病理組織試料用カセット。
【請求項４】
蓋付多孔皿を、前記枠状基体の開口部の蓋の下面と、皿状多孔底板の上面に突設した支持体との間で挟持することを特徴とする請求項１記載の病理組織試料用カセットとその包埋皿。
【請求項５】
枠状基体の下側に形成した多孔支持底板の外周面に着脱自在に嵌合する皿状多孔底板を該多孔支持底板の外周面から取り脱し、包埋皿上に病理組織試料を載置し、その外周に該包埋皿の内周面を水密嵌合し、その状態の枠状基体の内側及び包埋皿の上側で囲まれた空間に溶融パラフィンを注入し、その中に多孔支持底板と病理組織試料を一体的に埋設することを特徴とする包埋ブロックの成形方法。
【発明の詳細な説明】
【０００１】
【発明の属する技術分野】
この発明は、臨床医が病気の診断及び治療を決めるため、患者の人体から採取した病理組織試料を薄切染色標本にして、それを前記臨床医に返送するまでの間における病理組織試料の管理システムの中で用いる該病理組織試料用カセット及びそれに用いる包埋ブロックの成形方法に関する。
【０００２】
また前記病理組織試料を薄切りする前の状態の病理組織試料の包埋ブロックを形成する際、該包埋ブロックにバリが発生しないようにして、前記薄切り時の厚さを均一にして、病理検査の精度を高めようとするものであると共に、従来の包埋作業工程ではその構造上従来のカセット周囲にバリが発生して、ナイフや熱にて該バリを排除している。そのバリ取り作業工程を無くし合理化することと、この従来のカセットと包埋法によるバリ取り作業の際に生じる、カセット周囲に記載印字された試料データ面が損傷して包埋ブロック作製後に試料データの読み取りを困難にする事を防止するものである。
【０００３】
さらに述べれば、臨床医が各患者からその患者の試料を採取し、その採取試料を病理検査室等に固定移送し、その後、病理検査側での受付・エントリーから切り出し作業、固定・脱水・脱脂・透徹包埋剤浸透の薬液処理、包埋作業、薄切・切片掬い・切片伸展貼付作業、薄切ブロック試料のシール・保管管理作業、標本染色・封入完成標本の配列整理作業、病理診断時の各患者のスライド標本と依頼書データ等の照合確認と診断データの入力作業、各患者の既往歴データのファイルと検索作業から診断データの発送作業等の完了に至るまでの間における各患者検体（各患者採取試料と依頼情報と記載すべき報告書と既往歴データを添付したもの）の確実な保管とその追跡の管理を可能にする各作業の管理システムに適するバーコードや二次元データコードラベル等を貼り、内部の試料をカセット外部から観察確認できる病理組織試料用カセット及びそれを用いる包埋ブロックの成形方法に関する。
【０００４】
またさらに述べれば、上記各患者の病理組織の各管理をその段階毎の事後に追跡して確認するシステムに用いる病理組織試料用カセット及びそれを用いる包埋ブロックの成形方法に関するものである。
【０００５】
【従来の技術】
従来、この種の作業に於いては、臨床医によって各患者から採取された病理組織試料を、各患者名またはその他のデータの記載されたラベル等を貼られた容器に収納して、各患者の属性と臨床診断や所見等が記載された検査依頼書と一緒にして、それらを郵送やメッセンジャー等の適宜の手段で移送している。
【０００６】
臨床医から離れた場所の病理検査側に移送されてきた上記の容器に収納されている各患者の検体試料を、そこで病理医が病理診断する為の標本作製作業前の患者検体の受付・エントリー時にその患者試料容器と一緒に添付されてきている病理診断検査依頼書と、各患者の名前と依頼内容と病理組織試料の状況等を照合して、その病理組織試料がその患者のものであることを確認する。
【０００７】
その後、前記受付・エントリー時に於いて臨床医の病理組織試料採取時の各患者の患者ＩＤ番号やカルテ番号にも患者検体の集配員またはメッセンジャーの検体受領時の病理組織試料照合乱数番号にも関係しない、連続スペック番号かサンプル番号で新しくその患者試料番号が記載された別のカセット（処理籠）にトリミングされたその患者の前記病理組織試料や前記生検病理組織試料を収納して、その後標本作製のための薬液処理を行い、各全ての試料をピンセット等で摘んで包埋皿の底部に移して包埋剤で包埋して台木（基台）に付け、その包埋剤の凝固後に形成する包埋剤のブロックの周囲の余分なバリを削り取って排除してブロック試料を作製する。
【０００８】
このブロック試料を薄切してスライドグラスに伸展して貼付し、乾燥後脱包埋剤（脱パラフィン）して染色及び封入して染色スライド標本を作製し、それを病理医がそれら各患者の標本試料と依頼書データと既往歴データとを照合して病理診断して、臨床医に病理診断報告を行うものである。
【０００９】
上述の行程においては、各患者の病理組織試料データ（採取試料と依頼書データと既往歴データ）の臨床医の試料採取時から病理診断報告完了時までの間において、その各病理組織試料の紛失や混入、入れ替わりの防止のための点検確認は不連続な人手で行われているため、各作業段階における作業者の責任の在処も事後では不明瞭になっている。
【００１０】
【発明が解決しようとする課題】
この発明の目的は、臨床医の各患者からの採取した生検試料を含む病理組織検体試料の採取時から病理診断報告完了時迄の間の作業において、それらの各患者の検体試料データ（採取試料と依頼書データと既往歴データ）の紛失や混入及び、入れ替わりの人為的なミスによる危険性を無くし、またそのような間違いが生じた場合はその事後でも、何処でトラブルが発生したかを明確にして、その責任の所在を明らかにすることである。
【００１１】
また、上述の作業工程に於いて、人為的な単純なミスで、回復不可能な大きな問題になるトラブルを無くす為に人的作業を短縮若しくは省略して、自動化及び機械化による管理と監視をできる作業工程を増やすことである。
【００１２】
その為に、既に本件発明者（「発明者」ということがある）によって特許出願（「発明出願」ということがある）されている固定移送容器の外部やカセットの窓口を通して多孔皿の外部からその中に収納されている病理組織試料が観察確認できるマクロ画像とそれらの試料が臨床側での採取時に記載され附された患者認識データ（患者属性や患者ＩＤや患者カルテ番号等）と病理側での受付整理番号とで、臨床側の患者からの試料採取とその臨床データを含む病理診断検査依頼書データの記載と病理診断依頼提出時から病理検査試料の受領・搬送・受付・切り出し仕分け・薬液処理・包埋・標本作製・既往歴検索・病理診断・データ管理保管・病理報告書発行終了までの全ての作業行程において、統一的に管理使用することである。
【００１３】
その為には、前記カセット内の試料のマクロ画像の観察確認の他に各患者データを確実にカセット試料と連結関連づける試料データ番号やバーコードや二次元データコード等の手段が必要であったが、従来の包埋ブロック作製法ではカセット基体のバリ取り作業中にデータ記載面を傷付け機械的な自動読み取りができなかったので、臨床側からの患者データを病理標本作製行程側にそのまま導入できずにいた。この患者試料データでもあるブロック試料データの記載面を確実に守ることである。
【００１４】
【課題を解決するための手段】
この発明の小物病理組織試料用カセットは、上下両側に夫々上側に開口部を下側に窓口付多孔支持底板を形成した枠状基体と、該枠状基体内の発明者が既に発明出願している特許第３０４９５３７号及び特願平７−３００２９０及び特許第３００８０７８号の多孔皿及び固定支持用ケースと、該枠状基体の上側開口部に嵌合する多孔板状蓋乃至窓口付多孔板状蓋と、該下側の窓口付多孔支持底板の窓口部に着脱自在に嵌合する皿状多孔底板の上面に突設した前記多孔皿の支持体と、同下側窓口付多孔支持底板に着脱自在に嵌合して且つ該生検小型病理組織試料用カセットの枠状基体の外周面と包埋皿の外周面とが殆ど一致する包埋皿とからなる病理組織試料の包埋ブロック用形成器具において、該下側の窓口付多孔支持底板の窓口部の内側周囲に嵌合挿入できる内向き突設された支持体を前記皿状多孔底板に形成し、その前記皿状多孔底板の内周面及び前記包埋皿の内周面を夫々択一的に前記枠状基体の底面外周面より少ない面積にて突設した前記窓口付多孔支持底板の外周面に水密嵌合するものである。
【００１５】
また大物病理組織試料用またはフラグメント試料用カセットには、上下両側に夫々上側に開口部を下側に多孔支持底板を形成した枠状基体と、該枠状基体の上側開口部に嵌合する多孔板状蓋と、該下側窓口開口部に着脱自在に嵌合する支持体を持たない皿状多孔底板とからなる病理組織試料の包埋ブロック用形成器具において、前記皿状多孔底板の内周面及び前記包埋皿の内周面を夫々択一的に前記枠状基体の底面外周面より少ない面積にて突設した前記多孔支持底板の外周面に水密嵌合して且つ該病理組織試料用カセットの枠状基体の外周面と包埋皿の外周面とが殆ど一致するものである。この時、確固たる形状を保たないフラグメント試料用の皿状多孔底板には、他の大物用病理組織試料用に用いる該皿状多孔底板の多孔部分よりより孔径の小さな皿状多孔底板を用いるのが望ましい。
【００１６】
また、上記のカセットのブロック試料データ記載箇所に印刷または貼られた試料ナンバーやバーコードや二次元データコード等のデータ記載面の損傷や剥離を保護する試料データ記載面保護格子板をカセットの蓋に一体に成形すると共に、従来の包埋成形法ではどうしてもブロック試料のカセットの枠状基体の周囲に余分にはみ出して成形され、ブロック試料の薄切時にミクロトームのアダプターのホルダーにブロック試料を確実に水平に保持するのに邪魔になるバリを前記包埋作業行程で生じさせない為に、該下側窓口開口部に着脱自在に嵌合する支持体を持たない皿状多孔底板とからなる病理組織試料の包埋ブロック用形成器具において、前記皿状多孔底板の内周面及び前記包埋皿の内周面を夫々択一的に前記枠状基体の底面外周面より少ない面積にて突設した前記多孔支持底板の外周面に水密嵌合して且つ該病理組織試料用カセットの枠状基体の外周面と包埋皿の外周面とが殆ど一致するものである。これは皿状多孔底板の多孔の内径を変えることにより、該カセットの底部である該多孔支持底板の多孔の内径を試料の大きさによって変化させずに一定し保つことができ、故に前記枠状基体の底面外周面より少ない面積にて突設した前記多孔支持底板の外周面に水密嵌合する包埋皿にパラフィン等包埋剤を流し込む包埋ブロック成形時にカセット底部下の包埋剤中に泡ができずに且つバリも生じないので、バリ取り作業行程の省略とこの行程で生じるブロック試料記載面の損傷を防止する。
【００１７】
【発明の実施の形態】
図１〜図３に示す如く、枠状基体１の上側に開口部２を、また下側に窓口３ｃ付多孔支持底板３を夫々形成し、該開口部２に対する多孔板状蓋４の一端の係止片４ａを枠状基体１の一側の係止突起１ａに係止め、蓋４の他端の傾斜した試料データ記載面保護格子板４ｃの手前の係止突片４ｂを枠状基体１の他側に形成した該枠状基体１の試料データ記載箇所１ｂの上部の係止溝１ｃに係合して、枠状基体１の開口部２に前記多孔板状蓋４を着脱自在に取付け、前記窓口３ｃ付多孔支持底板３の外周面３ａを枠状基体１の下端面１ｄよりさらに下向きに突設する。
【００１８】
その窓口３ｃ付多孔支持底板３の外周面３ａに、皿状多孔底板５の内周面５ａを水密にかつ着脱自在に嵌合する。
この際、該外周面３ａに係止凹み３ｂを形成し、この係止凹み３ｂに対して内周面５ａに形成する係止突部５ｂを係脱自在に嵌合すると共に、その際、下端面１ｄと皿状多孔底板５の上端面５ｄ、及び多孔支持底板３の下端外周面３eと皿状多孔底板５の内面外周５ｃを夫々密着することが望ましい。
【００１９】
さらに、窓口３ｃ付多孔支持底板３の外周面３ａに、上記皿状多孔底板５を嵌合する代わりに、生検試料を包埋する際に用いる包埋皿６の内周面６ａを択一的に嵌合する際は、該外周面３ａに包埋皿６の内周面６ａを着脱自在にかつ水密に嵌合すると共に該枠状基体の外周面１ｄ及び下端面１ｅと前記包埋皿６の外周面６ｂ及び包埋皿の上端面６ｅも殆ど一致する。
【００２０】
同図中７は、比較的サイズの小さな生検試料を収容する際に用いる蓋付多孔皿（発明者が既に出願している特許第３０４９５３７号及び特願平７−３００２９０及び特許第３００８０７８号の多孔皿及び固定支持用ケース参照）であって、７ａはその蓋である。
その周囲の鍔部７ｊを前記蓋４の下面と、皿状多孔底板５の上面に突設する支持体５ｆで挟持保持する。
【００２１】
この発明の生検試料用カセットは上述の構造であり、これを用いて臨床医から前記蓋付多孔皿の所定の生検収納区画７ｄに収納されて、適宜の輸送手段で病理医に輸送された蓋付多孔皿７内の生検試料８を用いてその包埋ブロック１０をつくる際は、先ず図３〜図６に示す如く、臨床医から提出された生検試料８を、前記支持体５ｆが突設さている前記皿状多孔底板５が前記窓口３ｃ付多孔支持底板３に嵌合されることにより該枠状基体の底内部にも突設されている前記支持体５ｆ上に、前記生検試料８ごと該蓋付多孔皿７をピンセット９で摘んではめ込み枠状基体１内に移し換え、図５に示す如く、皿状多孔底板５の上に枠状基体１、蓋付多孔皿７及び蓋４を順次組立てる。その後，該カセットごと病理組織試料を脱水・脱脂・透徹・浸透等の薬液処理工程を行う。
【００２２】
また、多孔皿７には入らない大きな病理組織試料の場合は、図６に示す様に前記支持体５ｆを成形していない皿状多孔底板５使用すればよい。この時、枠状基体内には支持体５ｆは突設されず広く枠状基体内の最大容積を使用することができ、該枠状基体の内部に大物病理組織試料を切り出したトリミング試料を収納することができる。
【００２３】
また、図４に示すごとく該枠状基体の多孔支持底板３に窓口３ｃを成形しないカセット底部を使用するのも便利である。それは、手術摘出材料８ａには必ずしもその組織の形状が定まった物ばかりとは限らず、患部の組織を掻き出す摘出材料（フラグメント試料）も有り、それらは生検試料８の様にカセットの大きな通液孔から流れ出る危険性が強く、また前記生検試料８より多くの量の組織片を処理しなくては成らない場合があります。このような場合の為に、図１６に示す様に窓口３ｃのない多孔支持底板３の通液孔の大きめなカセット底部（枠状基体１）を成形しておき、薬液処理する組織試料の種類やその性状に合わせて前記枠状基体１の多孔支持底板３に嵌合させる該皿状多孔底板５の通液多孔の口径を選択して用いることができる。この時、図１６の右図に示すような多孔板をカセット底部（枠状基体１）の内側底面にはめ込む形式でも同様な結果を期待することができる。
【００２４】
薬液処理行程が終了して包埋剤が浸透した試料を包埋する場合には、図７乃至図８に示す様に生検試料の場合は発明者が既に発明出願している多孔皿または固定支持用ケースからピンセット２５で生検試料を摘んで包埋皿６の内部底面に載置する。またその他の大物試料の場合には図６に示す如く枠状基体１からピンセット２５で試料を摘んで以下生検試料と同様に包埋皿６の底面に薄切検査面を下側に向けて面一に載置する。その後、図８に示す状態の枠状基体１と包埋皿６の内側における多孔支持底板３の上下に形成された空間１４に溶融状態のパラフィン１５を流し込み、それを包埋皿６の保持部６ｄを親指と人差し指で持ち包埋皿６ごと図示してないが包埋装置のコールドプレート上に移して冷却して、生検試料８を多孔支持底板３と共に埋め込んで一体的にした固体状態にして包埋皿のタブ６ｃを指で下げて包埋皿６を外して薄切用の包埋ブロック試料１０を形成する。
【００２５】
この際、枠状基体１の底部を構成する多孔支持底板３の外周面３ａと包埋皿６の内周面６ａとが水密に嵌合しているので、前記空間１４内に溶融パラフィン１５を充填した際、その嵌合した部分の隙間を通り、さらに枠状基体１の下端面１ｄと包埋皿６の上端面６ｅとの間隙を通って外部空間１３に流れ出すことがないし、また枠状基体１の外周面１ｄと包埋皿６の外周面６ｂが面一に嵌合しているので枠状基体１の周辺に付いていた溶融パラフィン（包埋剤）１５は枠状基体１と包埋皿６との境界に殆ど留まることなく包埋皿６の下に流れ落ちる。そのため、それらの間隙内のパラフィン１５が冷却して包埋作業を完了して該包埋皿６を該包埋ブロック試料１０から外してしまうと、該包埋ブロック試料１０の基台でもある枠状基体１の試料データ記載箇所１ｂを含んだ周辺に固化したパラフィン（包埋剤）のバリを生ずることがない。
【００２６】
また、病理組織試料８乃至８ａの大きさに因って、従来のカセットではその多孔３ｆの内径の大きさを替えなくてはいけないが、図１６に示す如くに、この発明におけるカセットの枠状基体１の多孔支持底板３は窓口３ｃの有無に関わらず皿状多孔底板５の多孔５ｈの大きさを替えれば、その役割存在に因って一定の内径に固定することができる。故に、多孔３ｆの内径をあまり小さくしなくてすみ、包埋時の溶融パラフィン（包埋剤）１５を枠状基体（カセット底部）１の空間１４から病理組織試料８乃至８ａを底面に載置した包埋皿６内に注入する際に生じやすい気泡が生じ難くすることができる。斯様にして形成された固形の包埋ブロック１０の両側を図９に示すミクロトーム用アダプター１８のホルダー１８ａ，１８ｂ間に挟んで、そこに固定して、薄切刀１６で薄切りし、スライドガラスに貼付してプレパラートを形成する。
【００２７】
この際、この発明の包埋ブロックの形成器具を用いて形成する包埋ブロック１０は、その包埋ブロック１０の周囲に包埋剤のバリが発生しないので、それをミクロトーム用アダプター１８のホルダー１８ａ，１８ｂの圧着面で圧着保持する際、正確に面接触し、安定して支持することができ、その後薄切刀１６で薄切する際に得られる薄切片の厚さの均一性とその精度を高めることができ、病理の検査がし易くなる。
【００２８】
また、バリが包埋ブロック試料の基台でもある枠状基体（カセット底部）１の周辺に付着していないので、そのバリ取り作業をする必要がなく、バリを枠状基体（カセット底部）１から取り去る際に生じる枠状基体（カセット底部）１周辺に記載印字したブロック試料データ記載箇所の表面の損傷を与えない。
【００２９】
故に、発明者が既に発明出願している多孔皿や固定支持用ケースと固定定着支持剤及び固定移送容器と生検試料収納装置等とこの病理組織試料用カセットとその包埋皿とを併用すると、患者の病理的確定診断や治療をするために臨床側で採取または患部を摘出した病理組織試料８乃至８ａとその患者の病理診断依頼書情報に、その患者のＩＤ番号や属性やカルテ番号や患者エンボス磁気カード等の患者データを附せば、病理検査受付切り出し時から病理診断報告完了及びその精度管理とデータ管理及び検索の自動化と合理化省力化に、その患者試料や依頼書情報画像とバーコード化または二次元データコード化された患者データと試料整理番号との三情報を活用することが可能に成った。
【００３０】
この発明を上述の実施形態について説明したが、その実施形態だけに限定されるものでなく、その実施形態をさらに効果的に実施するための具体的技術手段を付加したり、或いはその実施形態を部分的に変更したりすることが可能である。
【００３１】
例えば、図１０や図１６に示す様な形状をとればカセットの蓋４と皿状多孔底板５や包埋皿６は合成樹脂製でなくて金属ステンレス製の成形もできてリサイクル使用の耐久性も上がる。
【００３２】
また、図１３から図１５の如く多孔皿７の底面７ｉに生検試料を載置して、発明者が既に発明出願している定着支持剤２３（特許第３０４９５３７号及び特願平１１−７６８４３）を併用すると多孔皿７の底部７ｈの底面７ｉ外側や内側に固定定着保持できる。即ちカセットや多孔皿７の収納区画７ｄが一個で区切りのない収納スペースにも、複数または崩れ易く脆い試料も定着保持でき、恰も一個の試料の如くその後の標本作製作業を進めることができる。
【００３３】
また、この時、図１１乃至図１２に示す如くに、本件発明者が既に特許出願している生検試料の収納装置と併用すると、臨床側で患者から生検試料を内視鏡等の鉗子で採取する時点と薄切刀で生検試料を薄切する時以外は生検試料を直接的に器具が触れることが無くなるので、そのどうしても試料に触れる必要のある二時点以外の生検試料の挫滅が無くなる。
【００３４】
さらに、図１３から図１５の如くに多孔皿７に前記定着支持剤２３とこの窓口３ｃ付多孔支持底板３を備えた枠状基体１と支持体５ｆを備えた皿状多孔底板５とを組み合わせて使用すると多孔皿７の底部７ｈの底面７ｉの外側と前記皿状多孔底板５に囲まれたカセット内空間に確実に生検試料は収納され、且つ多孔皿７の外底面に確実に保持させることができる。その後、標本作製の為の脱水・脱脂・透徹・浸透等の薬液操作の後の包埋作業において図１４の如くカセット全体を上下に転倒して皿状多孔底板５を枠状基体１から取り外して、その代わりに前述の包埋皿６を嵌合して、もう一度上下に転倒して図１５の状態にして、包埋皿６ごと保持部６ｄを持ちコールドプレート上に移動して、ゲル化定着支持剤２４にて生検試料８が底面７ｉに定着保持されている多孔皿７を、ピンセット２５で包埋皿６の底面に向けて押し下げ、底面に試料の包埋剤（パラフィン）１５の冷却固化に因って包埋皿６の底面に試料が付着保持されたら、今度は直ちに多孔皿７をピンセット２５にて逆に引き上げると、ゲル化定着支持剤で一体化した生検試料８のみが包埋皿６内の底面上に残り、以下は前述の図８と同様にし、その後は同様の手順で包埋ブロック１０を形成することも可能である。即ち、この包埋操作においてはピンセット２５は試料に直接には触れないで包埋することができ、生検試料の包埋時の紛失や混入や入れ違いを起こさない。
【００３５】
また、図１７乃至図１８に示す如く、既に発明者が発明出願している多孔皿や固定支持用ケースの蓋７ａは分離しても使用することができる。この蓋部分REVERSIBLE LID７ｂと多孔皿底部７ｈは図１７の如くに蓋部分の係止用突起７ｇと多孔皿底部７ｈの係止用孔７ｃとで嵌合してその機能を発揮できるが、生検試料を多孔皿に収納してその鍔部７ｊを支持体５ｆと枠状基体（カセット底部）１の蓋４で挟持する場合には、あえて蓋部分REVERSIBLE LID７ｂと多孔皿底部７ｈの係止部分は必要としない。故に、この蓋部分であるREVERSIBLE LID７ｂを裏表反対に裏返して、図１８の如くに既に発明者は発明出願している多孔皿または固定支持用ケースの挟持器具でもある窓口付き枠状基体の蓋４に前記多孔皿底部７ｈの係止用孔７ｃと同径で各孔間距離の等しい対称位置にある多孔皿７のREVERSIBLE LID７ｂの係止用突起の係止用孔４ｇを成形すれば、カセット内に挟持された多孔皿内の生検試料８は標本作製の薬液処理の間多孔皿７の所定の位置から移動紛失しないで処理でき、且つその生検試料８の観察確認ができ、包埋時のカセットの蓋４を開ける時にはその蓋４と一緒に多孔皿の蓋部分であるREVERSIBLE LID７ｂも開くことができ、いちいち二枚の蓋を開けなくてもカセット内の多孔皿７の生検試料８を取り出すことができる。
【００３６】
【発明の効果】
この発明は上述のとおり、枠状基体の底部を構成する多孔支持底板の外周面と包埋皿の内周面を水密に嵌合且つ枠状基体の外周面と包埋皿の外周面とが面一に嵌合するので、枠状基体内と包埋皿で囲まれている空間に溶融パラフィンを流し込んで病理組織試料と多孔支持底板を一体的に包埋する際、そのパラフィンが上記水密に嵌合した部分を経て外部に流出しないし枠状基体と包埋皿の境に留まらない。
【００３７】
そのため、包埋剤（パラフィン）が冷却して固化しても、成形された包埋ブロックにパラフィンのバリを生ずることがないので、その包埋ブロックをミクロトームのホルダーで安定して支持することができ、薄切刀で薄切りする際、その厚さの均一性とその精度を高め、病理検査の質を高めることができるし、バリ取り作業が無いので包埋ブロックの基台である枠状基体（カセット底部）の試料データ記載印字面を損傷させない。
【００３８】
またこの発明は、枠状基体の開口部の蓋の一側に試料データ記載面保護格子板を下向きに傾斜して形成し、該試料データ記載面保護格子板が枠状基体の一側に下向きに傾斜して形成した試料データ記載箇所上側を覆う様に保護するので、試料データ記載箇所に記載印字或いは貼付けたバーコードや二次元データコードまたは試料データ番号等が各種作業中にそこから剥離したり、或いは各種処理液によって消失するおそれがない。
【００３９】
また、枠状基体の窓口付多孔支持底板或いは窓口付多孔板状蓋の窓口を通して発明者が既に発明出願している透明な多孔皿を通してカセットに収納された多孔皿内部の生検試料を確実に観察確認できマクロ画像としても取り込むことができる。この画像と臨床からの病理検査診断依頼書データの画像と前記バーコードや二次元データコードまたは試料整理番号等とを患者確認と試料追跡管理に使用すると確実な精度管理と人手を少なくした機械化或いは自動化を進める一助となる。故にまた、生検試料の入れ替り等の人為的ミスが生じた場合には、事後でも追跡して責任の所在を明らかにすることができる。
【図面の簡単な説明】
【図１】この発明の生検試料用カセットの実施形態を示す縦断面図である。
【図２】図１を部分毎に分解した縦断図である。
【図３】図１の一部分の斜面図である。
【図４】図１の一部分と他の実施例の一部分の斜面図である。
【図５】図１の一部の部分を使用した実施態様の平面図である。
【図６】図３と図４の一部分を組み合わせた前述図５の実施態様と異なる他の実施態様を示す斜面図である。
【図７】図５の状態に続く状態の平面図である。
【図８】図７の状態の次の状態を示す縦断面図である。
【図９】他の状態を示す縦断面図と平面図である。
【図１０】他の実施態様を示す平面図と正面図と側面図と後面図と縦断面図である。
【図１１】他の状態を示す横縦断面図である。
【図１２】図１１の次の状態を示す横縦断面図である。
【図１３】図１２の次の状態を示す縦断面図である。
【図１４】図１３の他の状態を示す縦断面図である。
【図１５】図１４の次の状態を示す縦断面図である。
【図１６】図１の一部分と他の実施態様を示す平面図と裏面図と正面図と横断面図と縦断面図である。
【図１７】図１の一部分の他の実施態様の平面図と裏面図と横断面図と縦断面図である。
【図１８】図１７を用いた実施態様の平面図とそのIII−IIIとV−Vの方向の断面図である。
【符号の説明】
１          枠状基体
１ｂ        試料データ記載箇所
１ｃ        係止溝
１ｄ        枠状基体の外周面
１ｅ        下端面
２          開口部
３          多孔支持底板
３ａ        外周面
３ｂ        係止凹み
３ｃ        窓口
３ｄ        窓口枠
３ｅ        下端外周面
３ｆ         多孔
４          蓋
４ａ        係止片
４ｂ        係止突片
４ｃ        試料データ記載面保護格子板
４ｄ        蓋のタブ
４ｅ        蓋の窓口
４ｆ         蓋の通液孔
４ｇ        多孔皿のｒｅｖｅｒｓｉｂｌｅ  ｌｉｄの係止用突起の係止用孔
４ｈ        蓋の試料データ記載箇所
５               皿状多孔底板
５ａ        内周面
５ｂ        係止突部
５ｃ             内面外周
５ｄ        上端面
５ｆ         支持体
５ｇ        皿状多孔底板のタブ
６          包埋皿
６ａ        内周面
６ｂ        外周面
６ｃ        包埋皿のタブ
６ｄ        包埋皿の保持部
６ｅ        包埋皿の上端面
７          蓋付多孔皿（固定支持用ケース）
７ａ        多孔皿の蓋
７ｂ        reversible lid
７ｃ        係止用孔
７ｄ        生検収納区画
７ｅ        試料データ記載箇所
７ｆ         基準マーク
７ｇ        係止用突起
７ｈ        多孔皿底部
７ｉ         多孔皿底面
７ｊ         鍔部
８          生検（小物病理組織）試料
８ａ        大物病理組織試料
１０        包埋ブロック試料
１４        空間
１５        溶融パラフィン（包埋剤）
１６        薄切刀
１８        ミクロトーム用アダプター
１９        漏斗
２０        蓋体
２１        減圧筺
２２        固定液（固定ゲル化剤）
２３        定着支持剤
２４        ゲル化定着支持剤
２５        ピンセット
２６        バーコード
２７        ブロック試料データ
２８        ラベル
【図１】
0004058709.tif 000002
【図２】
0004058709.tif 000003
【図３】
0004058709.tif 000004
【図４】
0004058709.tif 000005
【図５】
0004058709.tif 000006
【図６】
0004058709.tif 000007
【図７】
0004058709.tif 000008
【図８】
0004058709.tif 000009
【図９】
0004058709.tif 000010
【図１０】
0004058709.tif 000011
【図１１】
0004058709.tif 000012
【図１２】
0004058709.tif 000013
【図１３】
0004058709.tif 000014
【図１４】
0004058709.tif 000015
【図１５】
0004058709.tif 000016
【図１６】
0004058709.tif 000017
【図１７】
0004058709.tif 000018
【図１８】
0004058709.tif 000019